Podtech/llm-jp-corpus-v4-ja_patent huggingface dataset:
【手続補正書】
【提出日】平成25年3月19日(2013.3.19)
【手続補正１】
【補正対象書類名】特許請求の範囲
【補正対象項目名】全文
【補正方法】変更
【補正の内容】
【特許請求の範囲】
【請求項１】
各々が識別可能な複数種類の図柄が配置された表示帯をステッピングモータの駆動により回動させることで変動表示可能な複数の可変表示領域のそれぞれに表示結果を導出させることが可能な可変表示装置を備え、
遊技用価値を用いて１ゲームに対して所定数の賭数が設定されることによりゲームが開始可能となるとともに、前記複数の可変表示領域の全てに表示結果が導出されたことにより１ゲームが終了し、前記複数の可変表示領域に導出された表示結果の組み合わせに応じて入賞が発生可能とされたスロットマシンであって、
遊技の制御を行う遊技制御手段と、
前記遊技制御手段から送信された制御情報に基づいて演出の制御を行う演出制御手段と、
前記複数の可変表示領域の表示結果を導出させる際に操作されるそれぞれの導出操作手段と、
を備え、
前記遊技制御手段は、
前記所定数の賭数が設定されてゲームが開始されたときに入賞の発生を許容するか否かを決定する事前決定手段と、
前記導出操作手段が操作されたときに、該導出操作手段の操作に対応する可変表示領域の表示結果を導出させる制御を行う導出制御手段と、
を含み、
前記導出制御手段は、
前記複数の可変表示領域全てに未だ表示結果が導出されていない状況において、未だ表示結果が導出されていない可変表示領域について、該可変表示領域に対応する導出操作手段が操作された時点の前記ステッピングモータのステップ数である導出操作時ステップ数に対し、該導出操作時ステップ数から所定ステップ数先までの範囲内で導出可能な表示結果を一意に特定する複数の制御パターンから、前記事前決定手段の決定結果に対応する制御パターンを一意に選択する全変動時制御パターン選択手段と、
前記複数の可変表示領域のうちいずれか１つの可変表示領域に既に表示結果が導出されており、他の可変表示領域に未だ表示結果が導出されていない状況において、未だ表示結果が導出されていない可変表示領域について、該可変表示領域に対応する導出操作手段が操作された時点の前記導出操作時ステップ数に対し、該導出操作時ステップ数から所定ステップ数先までの範囲内で導出可能な表示結果を一意に特定する複数の制御パターンから、前記事前決定手段の決定結果、及び既に表示結果が導出された可変表示領域に対応する前記導出操作手段が操作された時点の前記ステッピングモータのステップ数である既導出ステップ数に対応する制御パターンを一意に選択する一部変動時制御パターン選択手段と、
を含み、
前記複数の可変表示領域全てに未だ表示結果が導出されていない状況において、未だ表示結果が導出されていない可変表示領域に対応する導出操作手段が操作されたときに、前記全変動時制御パターン選択手段により該可変表示領域について前記事前決定手段の決定結果に対応して一意に選択された制御パターンにおいて、該導出操作手段が操作された時点の前記導出操作時ステップ数から一意に特定される表示結果を当該可変表示領域の表示結果として導出させる制御を行い、
前記複数の可変表示領域のうちいずれか１つの可変表示領域に既に表示結果が導出されており、他の可変表示領域に未だ表示結果が導出されていない状況において、未だ表示結果が導出されていない可変表示領域に対応する導出操作手段が操作されたときに、前記一部変動時制御パターン選択手段により該可変表示領域について前記事前決定手段の決定結果及び前記既導出ステップ数に対応して一意に選択された制御パターンにおいて、該導出操作手段が操作された時点の前記導出操作時ステップ数から一意に特定される表示結果を当該可変表示領域の表示結果として導出させる制御を行うとともに、
前記全変動時制御パターン選択手段は、前記事前決定手段の決定結果が所定の決定結果である場合に、前記複数の可変表示領域のうち最初に導出操作が行われる第１の可変表示領域について、前記導出操作時ステップ数が、該導出操作時ステップ数から所定ステップ数先までの範囲内であって前記所定の決定結果に対応する所定の表示結果を導出できる範囲内の導出ステップ数のうち、第１の導出ステップ数及び該第１の導出ステップ数とは異なる第２の導出ステップ数である場合に前記所定の表示結果を特定する所定制御パターンを選択する所定制御パターン選択手段を含み、
前記一部変動時制御パターン選択手段は、前記事前決定手段の決定結果が所定の決定結果であり、前記第１の可変表示領域に既に表示結果が導出され、かつ該表示結果が前記所定の表示結果であり、該第１の可変表示領域に対応する導出操作手段が操作された時点の前記既導出ステップ数が前記第１の導出ステップ数である場合に、未だ表示結果が導出されていない第２の可変表示領域について、前記導出操作時ステップ数が、該導出操作時ステップ数から所定ステップ数先までの範囲内であって前記所定の決定結果に対応する特定の表示結果を導出できる範囲内の導出ステップ数のうち、特定の導出ステップ数である場合に前記特定の表示結果を特定する第１の制御パターンを選択し、前記事前決定手段の決定結果が所定の決定結果であり、前記第１の可変表示領域に既に表示結果が導出され、かつ該表示結果が前記所定の表示結果であるが、該第１の可変表示領域に対応する導出操作手段が操作された時点の前記既導出ステップ数が前記第２の導出ステップ数である場合に、前記第２の可変表示領域について、前記導出操作時ステップ数が、前記特定の導出ステップ数である場合に前記特定の表示結果以外の表示結果を特定する第２の制御パターンを選択する異制御パターン選択手段を含む
ことを特徴とするスロットマシン。
【手続補正書】
【提出日】平成25年8月9日(2013.8.9)
【手続補正１】
【補正対象書類名】特許請求の範囲
【補正対象項目名】全文
【補正方法】変更
【補正の内容】
【特許請求の範囲】
【請求項１】
外科用ステープリング装置であって、以下：
カートリッジアセンブリ；
該カートリッジアセンブリに動作可能に付随し、そしてそれと並置された関係にあるアンブルアセンブリ；
該カートリッジアセンブリおよびアンビルプレートの少なくとも１つによって画定される組織接触表面；
該組織接触表面に隣接する外科用バットレスを固定するために該組織接触表面の第１の側面上に配置された第１のバットレスバットレスアタッチメント特徴；および
該外科用バットレスを固定するために該組織接触表面の第２の側面上に配置された第２のバットレスアタッチメント特徴、を備え、
該バットレスアタッチメント特徴は、該バットレスアタッチメント特徴の自由端が該組織接触表面に対して実質的に直交して延びる第１の位置と、該該バットレスアタッチメント特徴の自由端が該組織接触表面に対して実質的に平行に延びる第２の位置との間を移動可能であり、該第１の該バットレスアタッチメント特徴の各々が、バックスパンから延びる指部を有する、外科用ステープリング装置。
【請求項２】
前記組織接触表面が、それを通って長手軸方向に延びるナイフチャネルを含む、請求項１に記載の外科用ステープリング装置。
【請求項３】
前記第１のバットレスアタッチメント特徴および前記第２のバットレスアタッチメント特徴が温度変化に応答性であって、該バットレスアタッチメント特徴が、該バットレスアタッチメント特徴が第１の温度にあるとき第１の位置にあり、そして該バットレスアタッチメント特徴が第２の温度にあるとき第２の位置にあり、該第２の温度が該第１の温度よりも高い、請求項１に記載の外科用ステープリング装置。
【請求項４】
前記バットレスアタッチメント特徴が、前記温度変化に応答性の形状記憶合金を含む、請求項３に記載の外科用ステープリング装置。
【請求項５】
外科用ステープリング装置であって、以下：
カートリッジアセンブリ；
該カートリッジアセンブリに動作可能に付随し、そしてそれと並置された関係にあるアンブルアセンブリ；
該カートリッジアセンブリおよびアンビルプレートの少なくとも１つによって画定される組織接触表面；および
第１の組織接触表面に隣接する外科用バットレスを選択的に固定するための少なくとも１つのバットレスバットレスアタッチメント特徴、を備え、
該バットレスアタッチメント特徴は、バックスパンから延び、そして形状記憶合金を含む指部を有し、該形状記憶合金は第１の温度で該組織接触表面に対して第１の配向をとるように構成され、該バットレスアタッチメント特徴の自由端が該組織接触表面に対して該外科用バットレスの移動を可能にするために該組織接触表面から間隔を置かれ、そして該形状記憶合金が、第２の温度で該組織接触表面に対して第２の配向をとるように構成され、ここで、該バットレスアタッチメント特徴の自由端が、該外科用バットレスを該組織接触表面に固定するために該組織接触表面に相対的に近接している、外科用ステープリング装置。
【請求項６】
前記第２の温度が前記第１の温度より高い、請求項５に記載の外科用ステープリング装置。
【請求項７】
前記指部が、前記組織接触表面の外縁に沿って配置される、請求項８に記載の外科用ステープリング装置。
【請求項８】
前記組織接触表面が長手軸方向に整列され、そして前記外縁が該組織接触表面の側縁である、請求項７に記載の外科用ステープリング装置。
【請求項９】
前記外科用ステープリング装置が、ハンドルアセンブリへの離脱可能な取り付けにために構成された使い捨て装填ユニットを含む、請求項５に記載の外科用ステープリング装置。
【請求項１０】
前記外科用ステープリング装置が、ハンドルアセンブリを備える、請求項５に記載の外科用ステープリング装置。
【手続補正書】
【提出日】平成25年5月29日(2013.5.29)
【手続補正１】
【補正対象書類名】特許請求の範囲
【補正対象項目名】全文
【補正方法】変更
【補正の内容】
【特許請求の範囲】
【請求項１】
前後方向に延設された胴体部と、前記胴体部から該胴体部の下方に延びるハンドル部と、前記ハンドル部の下端に形成されて電源となるバッテリーパックを着脱自在に装着するバッテリー装着部と、を有する本体ハウジングと、
前記胴体部の内部に収容されたモータと、
前記胴体部に設けられて、前記モータの冷却風を吸気する吸気口と、
前記胴体部に設けられて、前記冷却風を前記胴体部の外部へ排出する排気口と、
前記胴体部に、前記モータの前方で組み付けられて、先端工具を装着可能で前記モータの回転が伝達されるチャックと、
前記ハンドル部の内部に収容されて、該ハンドル部から露出して前記ハンドル部の内部に押し込み可能なトリガを有して、前記バッテリーパックから前記モータへの電力供給を制御するスイッチと、を備えた充電式電動工具であって、
前記ハンドル部に、前記トリガを該ハンドル部から露出させる開口を設け、前記スイッチの外面に弾性体を配置して、
前記吸気口と前記排気口との少なくとも一方から前記胴体部の内部に浸入した水を、前記ハンドル部の内部を通過させて前記開口から前記ハンドル部の外部へ排出可能としたことを特徴とする充電式電動工具。
【請求項２】
前記弾性体は、前記スイッチの上下方向の一部で前記外面に沿って配置されたことを特徴とする請求項１に記載の充電式電動工具。
【請求項３】
前記弾性体は、前記外面に沿って前記スイッチの前後方向に延びるように配置されたことを特徴とする請求項１又は２に記載の充電式電動工具。
【請求項４】
前後方向に延設された胴体部と、前記胴体部から該胴体部の下方に延びるハンドル部と、前記ハンドル部の下端に形成されて電源となるバッテリーパックを着脱自在に装着するバッテリー装着部と、を有する本体ハウジングと、
前記胴体部の内部に収容されたモータと、
前記胴体部に設けられて、前記モータの冷却風を吸気する吸気口と、
前記胴体部に設けられて、前記冷却風を前記胴体部の外部へ排出する排気口と、
前記胴体部に、前記モータの前方で組み付けられて、先端工具を装着可能で前記モータの回転が伝達されるチャックと、
前記ハンドル部の内部に収容されて、該ハンドル部から露出して前記ハンドル部の内部に押し込み可能なトリガを有して、前記バッテリーパックから前記モータへの電力供給を制御するスイッチと、を備えた充電式電動工具であって、
前記スイッチの外面に弾性体を巻き付けて、該弾性体を前記ハンドル部の内面に保持させたことを特徴とする充電式電動工具。
【請求項５】
前後方向に延設された胴体部と、前記胴体部から該胴体部の下方に延びるハンドル部と、前記胴体部の内部に収容されたモータと、前記ハンドル部の内部に収容されて前記モータを駆動するスイッチと、を備えた電動工具であって、
前記スイッチの外面と前記ハンドル部の内面との間に弾性体を配置したことを特徴とする電動工具。
【手続補正２】
【補正対象書類名】明細書
【補正対象項目名】００１０
【補正方法】変更
【補正の内容】
【００１０】
請求項４の発明に係る充電式電動工具は、前後方向に延設された胴体部と、前記胴体部から該胴体部の下方に延びるハンドル部と、前記ハンドル部の下端に形成されて電源となるバッテリーパックを着脱自在に装着するバッテリー装着部と、を有する本体ハウジングと、前記胴体部の内部に収容されたモータと、前記胴体部に設けられて、前記モータの冷却風を吸気する吸気口と、前記胴体部に設けられて、前記冷却風を前記胴体部の外部へ排出する排気口と、前記胴体部に、前記モータの前方で組み付けられて、先端工具を装着可能で前記モータの回転が伝達されるチャックと、前記ハンドル部の内部に収容されて、該ハンドル部から露出して前記ハンドル部の内部に押し込み可能なトリガを有して、前記バッテリーパックから前記モータへの電力供給を制御するスイッチと、を備えた充電式電動工具であって、前記スイッチの外面に弾性体を巻き付けて、該弾性体を前記ハンドル部の内面に保持させたことを特徴とする。
請求項５の発明に係る電動工具は、前後方向に延設された胴体部と、前記胴体部から該胴体部の下方に延びるハンドル部と、前記胴体部の内部に収容されたモータと、前記ハンドル部の内部に収容されて前記モータを駆動するスイッチと、を備えた電動工具であって、前記スイッチの外面と前記ハンドル部の内面との間に弾性体を配置したことを特徴とする。
【手続補正書】
【提出日】平成25年7月9日(2013.7.9)
【手続補正１】
【補正対象書類名】特許請求の範囲
【補正対象項目名】全文
【補正方法】変更
【補正の内容】
【特許請求の範囲】
【請求項１】
所定の周波数で駆動するスイッチング手段と、
前記スイッチング手段に接続され、前記スイッチング手段が駆動することにより電圧が印加されるインダクタと、
前記インダクタの両端に接続され、コンデンサとダイオードを備えた整流手段と、
前記整流手段に流れる電流を検出する電流検出手段と、
前記インダクタと前記スイッチング手段の接続部と前記整流手段との間に接続され、前記インダクタに流れる交流電流と前記整流手段に流れる直流電流とを分離するための分離用コンデンサと
を備えたことを特徴とする電源。
【請求項２】
前記電流検出手段は、前記整流手段に流れる直流電流を検出することを特徴とする請求項１に記載の電源。
【請求項３】
前記スイッチング手段と前記インダクタと前記整流手段を有する複数の電圧出力手段を備え、前記複数の電圧出力手段は、正電圧を出力する正電圧出力手段と、負電圧を出力する負電圧出力手段を含み、
前記電流検出手段が前記正電圧出力手段と前記負電圧出力手段とに接続されることを特徴とする請求項１または２に記載の電源。
【請求項４】
更に、前記整流手段の出力部と前記整流手段と前記電流検出手段の接続経路に接続され、前記整流手段から出力される電圧を検出する電圧検出手段を備えたことを特徴とする請求項１乃至３のいずれかの項に記載の電源。
【請求項５】
更に、前記インダクタに入力される電圧を可変する電圧可変手段を備えたことを特徴とする請求項１乃至４のいずれかの項に記載の電源。
【請求項６】
記録材に画像を形成するための画像形成手段と、
前記画像形成手段に電圧を印加する電源であって、
所定の周波数で駆動するスイッチング手段と、前記スイッチング手段に接続され、前記スイッチング手段が駆動することにより電圧が印加されるインダクタと、
前記インダクタの両端に接続され、コンデンサとダイオードを備えた整流手段と、
前記整流手段に流れる電流を検出する電流検出手段と、
前記インダクタと前記スイッチング手段の接続部と前記整流手段との間に接続され、前記インダクタに流れる交流電流と前記整流手段に流れる直流電流とを分離するための分離用コンデンサとを有することを特徴とする画像形成装置。
【請求項７】
前記電流検出手段は、前記整流手段から前記画像形成手段に流れる電流を検出することを特徴とする請求項６に記載の画像形成装置。
【請求項８】
前記画像形成手段は、像担持体を帯電する帯電手段であって、
前記電流検出手段は、前記帯電手段に流れる電流を検出することを特徴とする請求項７に記載の画像形成装置。
【請求項９】
前記画像形成手段は、像担持体に形成されたトナー像を転写する転写手段であって、
前記電流検出手段は、前記転写手段に流れる電流を検出することを特徴とする請求項７に記載の画像形成装置。
【請求項１０】
更に、前記整流手段から出力される電圧を検出する電圧検出手段を備え、
前記画像形成手段は、像担持体に形成された潜像を現像する現像手段であって、前記電圧検出手段によって検出した電圧に基づき前記現像手段に出力する電圧を制御することを特徴とする請求項６乃至９のいずれか１項に記載の画像形成装置。
【請求項１１】
インダクタと、
前記インダクタの両端に接続され、前記インダクタに発生する電圧を整流する整流回路と、
前記インダクタに電圧を印加するために駆動するスイッチング素子と、
前記インダクタと前記スイッチング素子との接続部と前記整流回路の間に接続され、前記インダクタに流れる交流電流と前記整流回路の流れる直流電流を分離するコンデンサと
を有することを特徴とする電源。
【請求項１２】
前記整流回路に流れる電流を検出する検出回路を有することを特徴とする請求項１１に記載の電源。
【請求項１３】
記録材に画像を形成するための画像形成手段と、
前記画像形成手段に電圧を印加する電源とを備え、
前記電源は、
インダクタと、前記インダクタの両端に接続され、前記インダクタに発生する電圧を整流する整流回路と、前記インダクタに電圧を印加するために駆動するスイッチング素子と、
前記インダクタと前記スイッチング素子との接続部と前記整流回路の間に接続され、前記インダクタに流れる交流電流と前記整流回路の流れる直流電流を分離するコンデンサと
を有することを特徴とする画像形成装置。
【請求項１４】
前記電源は、前記整流回路から前記画像形成手段に流れる電流を検出する検出回路を有することを特徴とする請求項１３に記載の画像形成装置。
【手続補正２】
【補正対象書類名】明細書
【補正対象項目名】発明の名称
【補正方法】変更
【補正の内容】
【発明の名称】電源並びに画像形成装置
【手続補正３】
【補正対象書類名】明細書
【補正対象項目名】０００８
【補正方法】変更
【補正の内容】
【０００８】
上記目的を達成するための本発明の電源は、所定の周波数で駆動するスイッチング手段と、
前記スイッチング手段に接続され、前記スイッチング手段が駆動することにより電圧が印加されるインダクタと、前記インダクタの両端に接続され、コンデンサとダイオードを備えた整流手段と、前記整流手段に流れる電流を検出する電流検出手段と、前記インダクタと前記スイッチング手段の接続部と前記整流手段との間に接続され、前記電圧共振手段に流れる交流電流と前記整流手段に流れる直流電流とを分離するための分離用コンデンサと
を備えたことを特徴とする。
また、本発明の他の電源は、インダクタと、前記インダクタの両端に接続され、前記インダクタに発生する電圧を整流する整流回路と、前記インダクタに電圧を印加するために駆動するスイッチング素子と、前記インダクタと前記スイッチング素子との接続部と前記整流回路の間に接続され、前記インダクタに流れる交流電流と前記整流回路の流れる直流電流を分離するコンデンサとを有することを特徴とする。
また、本発明の画像形成装置は、記録材に画像を形成するための画像形成手段と、前記画像形成手段に電圧を印加する電源とを備え、前記電源は、所定の周波数で駆動するスイッチング手段と、前記スイッチング手段に接続され、前記スイッチング手段が駆動することにより電圧が印加されるインダクタと、前記インダクタの両端に接続され、コンデンサとダイオードを備えた整流手段と、前記整流手段に流れる電流を検出する電流検出手段と、前記インダクタと前記スイッチング手段の接続部と前記整流手段との間に接続され、前記電圧共振手段に流れる交流電流と前記整流手段に流れる直流電流とを分離するための分離用コンデンサとを有することを特徴とする。
また、本発明の他の画像形成装置は、記録材に画像を形成するための画像形成手段と、
前記画像形成手段に電圧を印加する電源とを備え、前記電源は、インダクタと、前記インダクタの両端に接続され、前記インダクタに発生する電圧を整流する整流回路と、前記インダクタに電圧を印加するために駆動するスイッチング素子と、前記インダクタと前記スイッチング素子との接続部と前記整流回路の間に接続され、前記インダクタに流れる交流電流と前記整流回路の流れる直流電流を分離するコンデンサとを有することを特徴とする。
【手続補正書】
【提出日】平成25年10月30日(2013.10.30)
【手続補正１】
【補正対象書類名】明細書
【補正対象項目名】００４０
【補正方法】変更
【補正の内容】
【００４０】
回転伝達機構２０は、図７に示すように、一端にハンドル２が固定されたハンドル軸３０と、ハンドル軸３０の他端に回転制御機構２３を介して連結されたドライブギア３１と、ドライブギア３１に噛み合うピニオンギア３２とを有している。ドライブギア３１は、ハンドル軸３０の一端側に回転制御機構２３を介してハンドル軸３０と一体回転するように連結される。
【手続補正２】
【補正対象書類名】明細書
【補正対象項目名】００５９
【補正方法】変更
【補正の内容】
【００５９】
＜スピニングリールの構成＞
本発明の第２実施形態を採用したスピニングリールは、中型のスピニングリールである。図８に示すように、スピニングリールは、ハンドル１０１と、ハンドル１０１を回転自在に支持するリール本体１０２と、ロータ１０３と、スプール１０４とを備えている。ロータ１０３は、リール本体１０２の前部に回転自在に支持されている。スプール１０４は、釣り糸を外周面に巻き取るものであり、ロータ１０３の前部に前後移動自在に配置されている。なお、ハンドル１０１はリール本体１０２の左右いずれにも装着可能である。
【手続補正書】
【提出日】平成25年3月25日(2013.3.25)
【手続補正１】
【補正対象書類名】特許請求の範囲
【補正対象項目名】全文
【補正方法】変更
【補正の内容】
【特許請求の範囲】
【請求項１】
原稿画像を取得する取得手段と、
前記原稿画像から、出力の度に含まれる情報が変更される領域と出力の度に含まれる情報が変更されない領域とを含むコード画像を検出する検出手段と
を有する装置であって、
前記検出したコード画像の中のいずれの領域にもユーザの情報が含まれてない場合に、前記原稿画像の出力の指示を行ったユーザの情報を前記変更されない領域に含めたコード画像を生成する生成手段と、
前記生成されたコード画像と前記原稿画像との合成結果を出力する出力手段と
を有することを特徴とする装置。
【請求項２】
前記検出した前記コード画像の中の前記変更されない領域にユーザの情報が含まれておらず、かつ、前記変更される領域にユーザの情報が含まれている場合に、
前記生成手段は、
前記変更される領域に含まれる情報を前記変更されない領域に含め、かつ、前記原稿画像の出力の指示を行ったユーザの情報を前記変更される領域に含めたコード画像を生成することを特徴とする請求項１に記載の装置。
【請求項３】
前記取得手段は、読取手段によって原稿を読み取ることで前記原稿画像を取得し、
前記出力手段は、前記合成結果を印刷手段によって印刷させることを特徴とする請求項１又は２に記載の装置。
【請求項４】
ログインユーザからの複写指示を受けると、原稿を読み込むことで原稿画像データを得る手段と、
前記原稿画像データから、第１の領域と第２の領域とを含むコード画像データを検知する検知手段と、
第１の領域と第２の領域とを含むコード画像データを生成する生成手段と、
前記生成されたコード画像データを印刷する手段とを有する装置であって、
前記検知手段が第１の領域にユーザ情報を含むコード画像データを検知した場合、前記生成手段は、第１の領域に前記ユーザ情報を含み、第２の領域に前記ログインユーザを示すユーザ情報を含むコード画像データを生成し、
前記検知手段が第１の領域にユーザ情報を含まず、第２の領域にユーザ情報を含むコード画像データを検知した場合、前記生成手段は、前記検知されたコード画像データにおける第２の領域に含まれていた前記ユーザ情報を第１の領域に含み、第２の領域に前記ログインユーザを示すユーザ情報を含むコード画像データを生成することを特徴とする装置。
【請求項５】
前記検知手段が第１の領域にも第２の領域にもユーザ情報を含むコード画像データを検知した場合、前記生成手段は、前記検知されたコード画像データにおける第１の領域に含まれていた前記ユーザ情報を第１の領域に含み、第２の領域に前記ログインユーザを示すユーザ情報を含み、前記検知されたコード画像データにおける第２の領域に含まれていた前記ユーザ情報を第１の領域にも第２の領域にも含まないコード画像データを生成することを特徴とする請求項４に記載の装置。
【請求項６】
原稿画像を取得する取得ステップと、
前記原稿画像から、出力の度に含まれる情報が変更される領域と出力の度に含まれる情報が変更されない領域とを含むコード画像を検出する検出ステップと
を有する方法であって、
前記検出したコード画像の中のいずれの領域にもユーザの情報が含まれてない場合に、前記原稿画像の出力の指示を行ったユーザの情報を前記変更されない領域に含めたコード画像を生成する生成ステップと、
前記生成されたコード画像と前記原稿画像との合成結果を出力する出力ステップと
を有することを特徴とする方法。
【請求項７】
前記検出した前記コード画像の中の前記変更されない領域にユーザの情報が含まれておらず、かつ、前記変更される領域にユーザの情報が含まれている場合に、
前記生成ステップは、
前記変更される領域に含まれる情報を前記変更されない領域に含め、かつ、前記原稿画像の出力の指示を行ったユーザの情報を前記変更される領域に含めたコード画像を生成することを特徴とする請求項６に記載の方法。
【請求項８】
前記取得ステップは、読取手段によって原稿を読み取ることで前記原稿画像を取得し、
前記出力ステップは、前記合成結果を印刷手段によって印刷させることを特徴とする請求項６又は７に記載の方法。
【請求項９】
ログインユーザからの複写指示を受けると、原稿を読み込むことで原稿画像データを得るステップと、
前記原稿画像データから、第１の領域と第２の領域とを含むコード画像データを検知する検知ステップと、
第１の領域と第２の領域とを含むコード画像データを生成する生成ステップと、
前記生成されたコード画像データを印刷するステップとを有する方法であって、
前記検知ステップにおいて第１の領域にユーザ情報を含むコード画像データを検知した場合、前記生成ステップは、第１の領域に前記ユーザ情報を含み、第２の領域に前記ログインユーザを示すユーザ情報を含むコード画像データを生成し、
前記検知ステップにおいて第１の領域にユーザ情報を含まず、第２の領域にユーザ情報を含むコード画像データを検知した場合、前記生成ステップは、前記検知されたコード画像データにおける第２の領域に含まれていた前記ユーザ情報を第１の領域に含み、第２の領域に前記ログインユーザを示すユーザ情報を含むコード画像データを生成することを特徴とする方法。
【請求項１０】
前記検知ステップにおいて第１の領域にも第２の領域にもユーザ情報を含むコード画像データを検知した場合、前記生成ステップは、前記検知されたコード画像データにおける第１の領域に含まれていた前記ユーザ情報を第１の領域に含み、第２の領域に前記ログインユーザを示すユーザ情報を含み、前記検知されたコード画像データにおける第２の領域に含まれていた前記ユーザ情報を第１の領域にも第２の領域にも含まないコード画像データを生成することを特徴とする請求項９に記載の方法。
【請求項１１】
請求項６から１０のいずれか一項に記載の方法をコンピュータに実行させるためのプログラム。
【手続補正書】
【提出日】平成25年11月5日(2013.11.5)
【手続補正１】
【補正対象書類名】特許請求の範囲
【補正対象項目名】全文
【補正方法】変更
【補正の内容】
【特許請求の範囲】
【請求項１】
受信モード及び送信モードのいずれかのモード指定に応じて定まる周波数信号を生成する周波数シンセサイザと、前記周波数信号を被変調信号とする送信信号を無線送信する送信部と、前記周波数信号を用いて無線信号を受信する受信部と、を含む無線通信装置であって、
前記受信部は、
受信した前記無線信号に基づく信号と前記周波数信号とを混合する第１ミクサと、
前記第１ミクサの出力とローカル信号とを混合する第２ミクサと、
前記第２ミクサの出力を復調して復調信号を生成する復調段と、を含み、
前記周波数シンセサイザは、
制御入力電圧の変動に応じた周波数の出力周波数信号を自身のバイアス電流に基づいて生成する可変周波数発振器と、
前記可変周波数発振器の前記出力周波数信号を分周して得られた信号と基準クロック信号との位相差に応じた電圧を前記制御入力電圧とするフィードバック回路と、からなり、
前記可変周波数発振器は、前記バイアス電流の大きさを前記モード指定に応じて切り替えることを特徴とする無線通信装置。
【請求項２】
前記フィードバック回路は、前記モード指定に応じて分周比が変化する分周段を含んでいることを特徴とする請求項１に記載の無線通信装置。
【請求項３】
前記分周段は、前記モード指定によって定まる分周比にて分周動作をなすプリスケーラと、前記プリスケーラの分周出力を前記モード指定によって定まる分周比にて分周する分周器とからなることを特徴とする請求項２に記載の無線通信装置。
【請求項４】
受信動作時の目標周波数を設定するための第１の周波数変更データ及び送信動作時の目標周波数を設定するための第２の周波数変更データを保持するデータ保持部を有し、
前記データ保持部は、前記モード指定に応じて前記第１の周波数変更データ及び前記第２の周波数変更データを択一的に前記可変周波数発振器に供給し、
前記可変周波数発振器は、前記データ保持部から供給された前記周波数変更データに応じた周波数の周波数信号を生成することを特徴とする請求項１乃至３のいずれか１つに記載の無線通信装置。
【請求項５】
前記プリスケーラを構成するラッチ回路へのバイアス電流が前記モード指定に応じて制御されることを特徴とする請求項３に記載の無線通信装置。
【請求項６】
前記ローカル信号は発振器によって生成されたオシレータ信号であることを特徴とする請求項１に記載の無線通信装置。
【請求項７】
前記ローカル信号は前記周波数信号を分周して得られた分周信号であることを特徴とする請求項１に記載の無線通信装置。
【請求項８】
前記可変周波数発振器は、前記モード指定に応じて、互いに異なる２つのバイアス電流のうちの１つを生成するバイアス電流回路を含むことを特徴とする請求項１〜７のいずれか１に記載の無線通信装置。
【手続補正２】
【補正対象書類名】明細書
【補正対象項目名】０００６
【補正方法】変更
【補正の内容】
【０００６】
本発明による無線通信装置は、受信モード及び送信モードのいずれかのモード指定に応じて定まる周波数信号を生成する周波数シンセサイザと、前記周波数信号を被変調信号とする送信信号を無線送信する送信部と、前記周波数信号を用いて無線信号を受信する受信部と、を含む無線通信装置であって、前記受信部は、受信した前記無線信号に基づく信号と前記周波数信号とを混合する第１ミクサと、前記第１ミクサの出力とローカル信号とを混合する第２ミクサと、前記第２ミクサの出力を復調して復調信号を生成する復調段と、を含み、前記周波数シンセサイザは、制御入力電圧の変動に応じた周波数の出力周波数信号を自身のバイアス電流に基づいて生成する可変周波数発振器と、前記可変周波数発振器の前記出力周波数信号を分周して得られた信号と基準クロック信号との位相差に応じた電圧を前記制御入力電圧とするフィードバック回路と、からなり、前記可変周波数発振器は、前記バイアス電流の大きさを前記モード指定に応じて切り替えることを特徴とする。
【手続補正３】
【補正対象書類名】明細書
【補正対象項目名】００３９
【補正方法】変更
【補正の内容】
【００３９】
トランジスタ１０５及び１０６の各々のドレインは、トランジスタ１０７のソースに接続されている。トランジスタ１０３及び１０４の各々のドレインは、トランジスタ１０８のソースに接続されている。トランジスタ１０７のゲートには、ＶＣＯ５１の出力端子５１ｃからの周波数信号が入力され、トランジスタ１０８のゲートには、ＶＣＯ５１の出力端子５１ｃｃからの周波数信号が入力される。トランジスタ１０７及び１０８の各々のドレインは、電流源１０９Ｒに直接接続され、且つ電流源切替スイッチ１１０を介して電流源１０９Ｌに接続されている。電流源１０９Ｒ及び１０９Ｌは、ラッチ回路１００の動作のためのバイアス電流を生成する定電流源である。
【手続補正書】
【提出日】平成25年11月8日(2013.11.8)
【手続補正１】
【補正対象書類名】特許請求の範囲
【補正対象項目名】全文
【補正方法】変更
【補正の内容】
【特許請求の範囲】
【請求項１】
送信方法であって、
複数の変調信号に対して施すプリコーディング処理を規定するＮ個の行列Ｆ［ｉ］（ただし、ｉは０以上Ｎ−１以下の整数であり、Ｎは３以上の整数である。）、の中から一つの行列をスロット毎に切り替えて選択し、
前記スロット毎に第１のビット群から生成された第１の変調信号ｓ１と第２のビット群から生成された第２の変調信号ｓ２とに対して、前記選択された行列Ｆ［ｉ］に応じたプリコーディング処理を施すことにより、第１の送信信号ｚ１と第２の送信信号ｚ２とを生成し、
前記第１の送信信号ｚ１と前記第２の送信信号ｚ２を、それぞれ第１のアンテナ及び第２のアンテナから同一の周波数で同時に送信し、
前記第１の送信信号ｚ１及び前記第２の送信信号ｚ２は、（ｚ１、ｚ２）T＝Ｆ［ｉ］（ｓ１、ｓ２）Tを満たし、
前記Ｎ個の行列Ｆ［ｉ］は、
【数１】
2012120140.tif 000001
ただし、λは任意の角度、αは１を除く正の実数であり、
θ11（ｉ）及びθ21（ｉ）は、
【数２】
2012120140.tif 000002
または
【数３】
2012120140.tif 000003
を満たし、
前記Ｎ個の行列のそれぞれは、所定数のスロット内で少なくとも一回選択され、
前記Ｎは奇数である
送信方法。
【請求項２】
送信装置であって、
複数の変調信号に対して施すプリコーディング処理を規定するＮ個の行列Ｆ［ｉ］（ただし、ｉは０以上Ｎ−１以下の整数であり、Ｎは３以上の整数である。）の中から一つの行列をスロット毎に切り替えて選択する重み付け合成情報生成部と、
前記スロット毎に第１のビット群から生成された第１の変調信号ｓ１と第２のビット群から生成された第２の変調信号ｓ２とに対して、前記選択された行列Ｆ［ｉ］に応じたプリコーディング処理を施すことにより第１の送信信号ｚ１と第２の送信信号ｚ２を生成する、重み付け合成部と、
前記第１の送信信号ｚ１と前記第２の送信信号ｚ２を、それぞれ第１のアンテナ及び第２のアンテナから同一の周波数で同時に送信させる送信部とを、備え、
前記第１の送信信号ｚ１及び前記第２の送信信号ｚ２は、（ｚ１、ｚ２）T＝Ｆ［ｉ］（ｓ１、ｓ２）Tを満たし、
前記Ｎ個の行列Ｆ［ｉ］は、
【数４】
2012120140.tif 000004
ただし、λは任意の角度、αは１を除く正の実数であり、
θ11（ｉ）及びθ21（ｉ）は、
【数５】
2012120140.tif 000005
または
【数６】
2012120140.tif 000006
を満たし、
前記Ｎ個の行列のそれぞれは、所定数のスロット内で少なくとも一回選択され、
前記Ｎは奇数である
送信装置。
【請求項３】
受信方法であって、
それぞれ第1のアンテナ及び第２のアンテナから同一の周波数で同時に送信された第１の送信信号ｚ１と第２の送信信号ｚ２とを受信して得られた信号である受信信号を取得し、
前記第１の送信信号ｚ１及び前記第２の送信信号ｚ２は、スロット毎に第１のビット群から生成された第１の変調信号ｓ１及び第２のビット群から生成された第２の変調信号ｓ２にプリコーディング処理を施して生成されており、前記プリコーディング処理は、Ｎ個の行列Ｆ［ｉ］（ただし、ｉは０以上Ｎ−１以下の整数であり、Ｎは３以上の整数である。）の中からスロット毎に切り替えて選択された一つの行列に応じた処理であり、
前記第１の送信信号ｚ１及び前記第２の送信信号ｚ２は（ｚ１、ｚ２）T＝Ｆ［ｉ］（ｓ１、ｓ２）Tの関係を満たし、
前記Ｎ個の行列Ｆ［ｉ］は、
【数７】
2012120140.tif 000007
ただし、λは任意の角度、αは１を除く正の実数であり、
θ11（ｉ）及びθ21（ｉ）は、
【数８】
2012120140.tif 000008
または
【数９】
2012120140.tif 000009
を満たし、
前記Ｎ個の行列のそれぞれは、所定数のスロット内で少なくとも一回選択され、
さらに、前記受信方法は、送信側において各スロット毎に選択された行列に応じて、前記受信信号を復調することにより受信データを生成するステップを含み、前記Ｎは奇数である受信方法。
【請求項４】
受信装置であって、
それぞれ第1のアンテナ及び第２のアンテナから同一の周波数で同時に送信された第１の送信信号ｚ１と第２の送信信号ｚ２とを受信して得られた信号である受信信号を取得する、受信信号取得部を備え、
前記第１の送信信号ｚ１及び前記第２の送信信号ｚ２は、スロット毎に第１のビット群から生成された第１の変調信号ｓ１及び第２のビット群から生成された第２の変調信号ｓ２にプリコーディング処理を施して生成されており、前記プリコーディング処理は、Ｎ個の行列Ｆ［ｉ］（ただし、ｉは０以上Ｎ−１以下の整数であり、Ｎは３以上の整数である。）の中からスロット毎に切り替えて選択された一つの行列に応じた処理であり、
前記第１のプリコーディングされた信号ｚ１及び前記第２のプリコーディングされた信号ｚ２は（ｚ１、ｚ２）T＝Ｆ［ｉ］（ｓ１、ｓ２）Tの関係を満たし、
前記Ｎ個の行列Ｆ［ｉ］は、
【数１０】
2012120140.tif 000010
ただし、λは任意の角度、αは１を除く正の実数であり、
θ11（ｉ）及びθ21（ｉ）は、
【数１１】
2012120140.tif 000011
または
【数１２】
2012120140.tif 000012
を満たし、
前記Ｎ個の行列のそれぞれは、所定数のスロット内で少なくとも一回選択され、
さらに、前記受信装置は、送信側において各スロット毎に選択された行列に応じて、前記受信信号を復調することにより受信データを生成する信号処理部を備え、前記Ｎは奇数である受信装置。
【手続補正書】
【提出日】平成25年7月10日(2013.7.10)
【手続補正１】
【補正対象書類名】特許請求の範囲
【補正対象項目名】全文
【補正方法】変更
【補正の内容】
【特許請求の範囲】
【請求項１】
第１始動領域へ遊技球が入賞した後、該入賞にもとづいた変動表示の開始が可能となる第１の開始条件が成立したことにもとづいて、各々を識別可能な第１の識別情報による第１の変動表示を開始し表示結果を導出表示する第１変動表示手段と、第２始動領域へ遊技球が入賞した後、該入賞にもとづいた変動表示の開始が可能となる第２の開始条件が成立したことにもとづいて、各々を識別可能な第２の識別情報による第２の変動表示を開始し表示結果を導出表示する第２変動表示手段とを有し、前記第１変動表示手段または前記第２変動表示手段にあらかじめ定められた特定表示結果が導出表示されたときに遊技者にとって有利な特定遊技状態に制御し、所定の移行条件が成立したときに通常状態に比べて前記特定表示結果が導出表示されやすい状態である特別遊技状態に移行させる遊技機であって、
前記第１の変動表示と前記第２の変動表示とのいずれも実行されていないことを条件に、前記第１の開始条件が成立したときに、前記第１変動表示手段による前記第１の変動表示を開始させる第１変動表示開始手段と、
前記第１の変動表示と前記第２の変動表示とのいずれも実行されていないことを条件に、前記第２の開始条件が成立したときに、前記第２変動表示手段による前記第２の変動表示を開始させる第２変動表示開始手段と、
前記第１の開始条件が成立した前記第１変動表示手段における前記第１の変動表示の変動表示開始時から変動表示終了時までの変動表示時間を含む変動パターンを選択するための第１変動パターン選択処理と、前記第２の開始条件が成立した前記第２変動表示手段における前記第２の変動表示の変動表示開始時から変動表示終了時までの変動表示時間を含む変動パターンを選択するための第２変動パターン選択処理とを、同一の処理ルーチンにより実行し、前記第１変動表示手段および前記第２変動表示手段のうち、変動表示の開始条件が成立した変動表示手段における変動表示の変動表示時間を含む変動パターンを複数の変動パターンから選択する変動パターン選択手段と、
前記変動パターン選択手段により選択された変動パターンにもとづいて、前記第１の開始条件が成立したときに前記第１変動表示手段において実行される変動表示の変動表示時間を示す第１データと、前記第２の開始条件が成立したときに前記第２変動表示手段において実行される変動表示の変動表示時間を示す第２データとを、同一の記憶領域に記憶する変動表示時間記憶手段とを備え、
前記特定遊技状態として、可変入賞装置を第１期間開放状態に制御する第１特定遊技状態、または前記可変入賞装置を前記第１期間とは異なる第２期間前記開放状態に制御した後に前記特別遊技状態に移行する第２特定遊技状態に制御させることが可能であり、
前記第１始動領域へ遊技球が入賞した場合と前記第２始動領域へ遊技球が入賞した場合とで、異なる割合で、前記第２特定遊技状態を選択する特定遊技状態選択手段をさらに備えた
ことを特徴とする遊技機。
【手続補正２】
【補正対象書類名】明細書
【補正対象項目名】００１０
【補正方法】変更
【補正の内容】
【００１０】
（手段１）本発明による遊技機は、第１始動領域へ遊技球が入賞した後、該入賞にもとづいた変動表示の開始が可能となる第１の開始条件が成立したことにもとづいて、各々を識別可能な第１の識別情報による第１の変動表示を開始し表示結果を導出表示する第１変動表示手段と、第２始動領域へ遊技球が入賞した後、該入賞にもとづいた変動表示の開始が可能となる第２の開始条件が成立したことにもとづいて、各々を識別可能な第２の識別情報による第２の変動表示を開始し表示結果を導出表示する第２変動表示手段とを有し、第１変動表示手段または第２変動表示手段にあらかじめ定められた特定表示結果が導出表示されたときに遊技者にとって有利な特定遊技状態（例えば、大当り遊技状態または小当り遊技状態；具体的には特別図柄通常処理におけるステップＳ３０５〜Ｓ３１１の処理が実行されている状態）に制御し、所定の移行条件が成立したときに通常状態に比べて特定表示結果が導出表示されやすい状態である特別遊技状態に移行させる遊技機であって、第１の変動表示と第２の変動表示とのいずれも実行されていないことを条件に、第１の開始条件が成立したときに、第１変動表示手段による第１の変動表示を開始させる第１変動表示開始手段と、第１の変動表示と第２の変動表示とのいずれも実行されていないことを条件に、第２の開始条件が成立したときに、第２変動表示手段による第２の変動表示を開始させる第２変動表示開始手段と、第１の開始条件が成立した第１変動表示手段における第１の変動表示の変動表示開始時から変動表示終了時までの変動表示時間を含む変動パターンを選択するための第１変動パターン選択処理と、第２の開始条件が成立した第２変動表示手段における第２の変動表示の変動表示開始時から変動表示終了時までの変動表示時間を含む変動パターンを選択するための第２変動パターン選択処理とを、同一の処理ルーチンにより実行し、第１変動表示手段および第２変動表示手段のうち、変動表示の開始条件が成立した変動表示手段における変動表示の変動表示時間を含む変動パターンを複数の変動パターンから選択する変動パターン選択手段と、変動パターン選択手段により選択された変動パターンにもとづいて、第１の開始条件が成立したときに第１変動表示手段において実行される変動表示の変動表示時間を示す第１データと、第２の開始条件が成立したときに第２変動表示手段において実行される変動表示の変動表示時間を示す第２データとを、同一の記憶領域に記憶する変動表示時間記憶手段とを備え、特定遊技状態として、可変入賞装置を第１期間開放状態に制御する第１特定遊技状態、または可変入賞装置を第１期間とは異なる第２期間開放状態に制御した後に特別遊技状態に移行する第２特定遊技状態に制御させることが可能であり、第１始動領域へ遊技球が入賞した場合と第２始動領域へ遊技球が入賞した場合とで、異なる割合で、第２特定遊技状態を選択する特定遊技状態選択手段をさらに備えたことを特徴とする。
このような構成によれば、処理プログラムの容量を節減できる。
【手続補正書】
【提出日】平成25年11月12日(2013.11.12)
【手続補正１】
【補正対象書類名】特許請求の範囲
【補正対象項目名】全文
【補正方法】変更
【補正の内容】
【特許請求の範囲】
【請求項１】
塗装ブースを排気するファンと，排気ファンによって形成された空気流によって、循環水とオーバースプレーされた塗料とを攪拌し塗料を循環水に捕集する手段と、循環水を貯蔵する水槽と，水槽内の水から塗料の固形分を分離する分離手段と、循環水を循環させるポンプとを備えることを特徴とする塗装ブース循環水の処理装置。
【請求項２】
循環水を樋に入れ，オーバーフローさせた循環水を傾斜した水膜板に導き、下方に流下する水膜とし、塗料ミストと接触・捕集する手段を有することを特徴とする請求項１記載の塗装ブース循環水の処理装置。
【請求項３】
循環水が強アルカリ電解水であることを特徴とする請求項１又は２に記載の塗装ブース巡回水の処理装置。
【手続補正書】
【提出日】平成25年1月10日(2013.1.10)
【手続補正１】
【補正対象書類名】特許請求の範囲
【補正対象項目名】全文
【補正方法】変更
【補正の内容】
【特許請求の範囲】
【請求項１】
ジルコニウムを含む金属酸化物担体を用意する工程（ａ）と、
ロジウムを含む溶液を用意する工程（ｂ）と、
前記溶液に、前記金属酸化物担体と、炭酸アンモニウム、炭酸水素アンモニウムまたはアンモニア水とを加え、ｐＨが３．０以上７．５以下に調整された前記溶液を得る工程（ｃ）と、
前記工程（ｃ）の後に、前記溶液を乾燥および焼成することによって、前記金属酸化物担体にロジウムが担持された触媒粉末を得る工程（ｄ）と、
を包含する排気ガス浄化用触媒の製造方法。
【請求項２】
前記工程（ｃ）は、
前記金属酸化物担体を前記溶液に混合する工程（ｃ−１Ａ）と、
前記工程（ｃ−１Ａ）の後に、前記溶液に炭酸アンモニウム、炭酸水素アンモニウムまたはアンモニア水を加えることによって、前記溶液のｐＨを３．０以上７．５以下に調整する工程（ｃ−２Ａ）と、
を含む請求項１に記載の排気ガス浄化用触媒の製造方法。
【請求項３】
前記工程（ｃ）は、
前記溶液に炭酸アンモニウム、炭酸水素アンモニウムまたはアンモニア水を加えることによって、前記溶液のｐＨを所定の範囲に調整する工程（ｃ−１Ｂ）と、
前記工程（ｃ−１Ｂ）の後に、前記金属酸化物担体を前記溶液に混合する工程（ｃ−２Ｂ）と、
を含み、
前記工程（ｃ−１Ｂ）における前記所定の範囲は、前記工程（ｃ−２Ｂ）の実行後に前記溶液のｐＨが３．０以上７．５以下となるように設定されている請求項１に記載の排気ガス浄化用触媒の製造方法。
【請求項４】
前記工程（ｃ）において得られる前記溶液のｐＨは４．０以上６．５以下である請求項１から３のいずれかに記載の排気ガス浄化用触媒の製造方法。
【請求項５】
前記工程（ａ）において用意される金属酸化物担体は、酸化物換算で５０ｍｏｌ％以上９５ｍｏｌ％以下のジルコニウムを含む請求項１から４のいずれかに記載の排気ガス浄化用触媒の製造方法。
【請求項６】
前記工程（ａ）において用意される金属酸化物担体は、酸化物換算で７０ｍｏｌ％以上９０ｍｏｌ％以下のジルコニウムを含む請求項５に記載の排気ガス浄化用触媒の製造方法。
【請求項７】
前記工程（ａ）において用意される金属酸化物担体は、セリウム、ランタンおよびネオジムからなる群から選択された少なくとも１つの金属を含む請求項１から６のいずれかに記載の排気ガス浄化用触媒の製造方法。
【請求項８】
前記工程（ｂ）において用意される前記溶液は、波長３００ｎｍの光に対する吸光度が０．８以下である請求項１から７のいずれかに記載の排気ガス浄化用触媒の製造方法。
【請求項９】
前記工程（ｂ）において用意される前記溶液の塩素含有量は、１０００ｐｐｍ以下である請求項１から８のいずれかに記載の排気ガス浄化用触媒の製造方法。
【請求項１０】
ハニカム状の基材の表面に、前記触媒粉末を用いて触媒層を形成する工程（ｅ）をさらに包含する請求項１から９のいずれかに記載の排気ガス浄化用触媒の製造方法。
【請求項１１】
内燃機関と、
前記内燃機関からの排気ガスを外部に導く排気管と、
請求項１から１０のいずれかに記載の排気ガス浄化用触媒の製造方法によって製造され、前記排気管内に設けられた排気ガス浄化用触媒と、を備える自動車両。
【手続補正書】
【提出日】平成25年11月7日(2013.11.7)
【手続補正１】
【補正対象書類名】特許請求の範囲
【補正対象項目名】全文
【補正方法】変更
【補正の内容】
【特許請求の範囲】
【請求項１】
基板の上側から下側方向に処理液が流れ、処理液に接触したガスの一部が該処理液に吸収される樹脂製の気液接触板であって、
基板の表面を親水化処理するとともに、上側から流れる処理液を気液接触板に分散させる液分散構造と、処理液を気液接触板から均一に下側へ流下させる液渡し構造を有してなり、
前記基板の表面に鉛直軸と直行する方向に横溝を形成することを特徴とする気液接触板。
【請求項２】
請求項１において、
前記気液接触板は、上側から流下する処理液を気液接触板に接触させる液受け構造を有することを特徴とする気液接触板。
【請求項３】
請求項１又は２において、
前記液渡し構造が、基板の下端部側が所定間隔のピッチを有する下に凸状の鋸歯状であり、下に凸状の鋸歯状部が、左右対称の斜面部と、斜面部の頂面が平坦部とからなることを特徴とする気液接触板。
【請求項４】
請求項１乃至３のいずれか一つにおいて、
前記液分散構造が、所定間隔を持つ複数段の孔群又は突起群であり、
孔群又は突起群の配列が千鳥配列であることを特徴とする気液接触板。
【請求項５】
請求項４において、
前記液受け構造が、前記孔群又は突起群と基板の上縁部との間に、所定間隔を持って凸状の液受け群を有することを特徴とする気液接触板。
【請求項６】
請求項５において、
前記液受け群は、複数の円筒又は円柱からなることを特徴とする気液接触板。
【請求項７】
請求項１乃至６のいずれか一つにおいて、
前記基板の表面が親水性の粗面構造であることを特徴とする気液接触板。
【請求項８】
請求項１乃至７のいずれか一つにおいて、
前記基板が親水性材料を含有してなることを特徴とする気液接触板。
【請求項９】
請求項１乃至８のいずれか一つの気液接触板を鉛直軸方向と直交する方向に重なる積層体であることを特徴とする気液接触積層ブロック体。
【請求項１０】
請求項９の気液接触積層ブロック体が鉛直軸方向に、９０度の位相をもって交互に複数段設けてなることを特徴とする気液接触積層構造体。
【請求項１１】
請求項１０において、
前記気液接触積層ブロック体を構成する気液接触板の積層間隔と、下に凸状の鋸歯状部の山部同士の間隔とが同一であることを特徴とする気液接触積層構造体。
【請求項１２】
ガスが流通するガス浄化装置本体と、
該ガス浄化装置本体内に配設される請求項１０又は１１の気液接触積層構造体と、
前記ガス浄化装置本体の底部又は上部のいずれかよりガスを導入するガス導入手段と、
ガス導入手段側と異なる側よりガスを排出するガス排出手段と、
前記気液接触積層構造体に対して上方から処理液を供給する処理液供給手段と、
ガス浄化装置本体の底部付近に設けられた処理液を排出する処理液排出手段とを具備することを特徴とするガス浄化装置。
【手続補正２】
【補正対象書類名】明細書
【補正対象項目名】０００８
【補正方法】変更
【補正の内容】
【０００８】
上述した課題を解決するための本発明の第１の発明は、基板の上側から下側方向に処理液が流れ、処理液に接触したガスの一部が該処理液に吸収される樹脂製の気液接触板であって、基板の表面を親水化処理するとともに、上側から流れる処理液を気液接触板に分散させる液分散構造と、処理液を気液接触板から均一に下側へ流下させる液渡し構造を有してなり、前記基板の表面に鉛直軸と直行する方向に横溝を形成することを特徴とする気液接触板にある。